【手続補正書】
【提出日】平成21年9月7日(2009.9.7)
【手続補正１】
【補正対象書類名】特許請求の範囲
【補正対象項目名】全文
【補正方法】変更
【補正の内容】
【特許請求の範囲】
【請求項１】
シャッタ機構を含む光学系、及び撮像素子を有する複数の撮像部と、
前記撮像素子から出力される撮像信号を信号処理する信号処理手段と、
外部制御装置と通信手段を介して接続され、前記外部制御装置と電気信号の送受信を行う通信処理部と、
これら各部の制御を行い、前記外部制御装置からプレビュー画像開始要求の制御信号を受けたときには、前記複数の撮像部からプレビュー画像データの取得対象となる１つのプレビュー撮像部を選択し、この選択されたプレビュー撮像部が出力した撮像信号を前記信号処理手段が信号処理してプレビュー画像データが取得されるようにするとともに、前記通信処理部が前記プレビュー画像データを前記外部制御装置にリアルタイムで送信するようにし、前記外部制御装置から本画像撮像要求の制御信号を受けたときには、前記複数の撮像部が出力した撮像信号を前記信号処理手段が信号処理して本画像データが取得されるようにするとともに、この本画像データが取得された後、前記通信処理部が前記プレビュー画像データの送信を停止して前記本画像データを前記外部制御装置に送信するようにし、前記本画像データの送信中には、前記シャッタ機構を閉じ状態として前記撮像素子への外光の入射を遮断させる制御手段と
を備えたことを特徴とする複眼撮像装置。
【請求項２】
シャッタ機構を含む光学系、及び撮像素子を有する複数の撮像部と、
前記撮像素子から出力される撮像信号を信号処理する信号処理手段と、
外部制御装置と通信手段を介して接続され、前記外部制御装置と電気信号の送受信を行う通信処理部と、
これら各部の制御を行い、前記外部制御装置からプレビュー画像開始要求の制御信号を受けたときには、前記複数の撮像部からプレビュー画像データの取得対象となる１つのプレビュー撮像部を選択するとともに所定時間毎に別のプレビュー撮像部に切り換え、前記プレビュー撮像部が出力した撮像信号を前記信号処理手段が信号処理してプレビュー画像データが取得されるようにして、前記通信処理部が前記プレビュー画像データを前記外部制御装置にリアルタイムで送信するようにし、前記外部制御装置から本画像撮像要求の制御信号を受けたときには、前記複数の撮像部が出力した撮像信号を前記信号処理手段が信号処理して本画像データが取得されるようにするとともに、この本画像データが取得された後、前記通信処理部が前記プレビュー画像データの送信を停止して前記本画像データを前記外部制御装置に送信するようにし、前記本画像データの送信中には、前記シャッタ機構を閉じ状態として前記撮像素子への外光の入射を遮断させる制御手段と
を備えたことを特徴とする複眼撮像装置。
【請求項３】
シャッタ機構を含む光学系、及び撮像素子を有する複数の撮像部と、
前記撮像素子から出力される撮像信号を信号処理する信号処理手段と、
外部制御装置と通信手段を介して接続され、前記外部制御装置と電気信号の送受信を行う通信処理部と、
これら各部の制御を行い、前記外部制御装置からプレビュー画像開始要求の制御信号を受けたときには、前記複数の撮像部からプレビュー画像データの取得対象となる１つのプレビュー撮像部を選択し、この選択されたプレビュー撮像部が出力した撮像信号を前記信号処理手段が信号処理してプレビュー画像データが取得されるようにするとともに、前記通信処理部が前記プレビュー画像データを前記外部制御装置にリアルタイムで送信するようにし、前記外部制御装置から本画像撮像要求の制御信号を受けたときには、前記複数の撮像部が出力した撮像信号を前記信号処理手段が信号処理して本画像データが取得されるようにするとともに、この本画像データが取得された後、前記通信処理部が前記プレビュー画像データの送信を停止して前記本画像データを前記外部制御装置に送信するようにし、前記本画像データの送信中には、前記シャッタ機構を閉じ状態として前記撮像素子への外光の入射を遮断させ、前記本画像データの送信後、前記選択したプレビュー撮像部とは異なるプレビュー撮像部を前記複数の撮像部から選択する制御手段と
を備えたことを特徴とする複眼撮像装置。
【請求項４】
シャッタ機構を含む光学系及び撮像素子を備えた複数の撮像部を有し、通信手段を介して外部制御装置に接続された複眼撮像装置の制御プログラムであって、
前記外部制御装置から送信されたプレビュー画像開始要求の制御信号を受けたとき、前記撮像部から出力された撮像信号に基づくプレビュー画像を前記外部制御装置に送信するプレビュー画像送信処理と、
前記外部制御装置から送信された本画像撮像要求の制御信号を受けたとき、前記撮像信号に基づく本画像データを作成する本画像撮像作成処理と、
この本画像撮像作成処理の後、前記プレビュー画像送信処理を停止して前記本画像データを前記外部制御装置に送信する本画像データ送信処理と、
この本画像データ送信処理が行われているとき、前記シャッタ機構を閉じ状態として前記撮像素子への外光の入射を遮断する撮像素子遮光処理と
を前記複眼撮像装置に実行させる
ことを特徴とする制御プログラム。
【請求項５】
前記複数の撮像部のうち、前記プレビュー画像データの取得対象となるプレビュー撮像部を選択する撮像部選択処理を前記複眼撮像装置に実行させることを特徴とする請求項４記載の制御プログラム。
【請求項６】
前記複数の撮像部のうち、前記プレビュー画像データの取得対象となるプレビュー撮像部を所定時間毎に切り換える撮像部切換処理を前記複眼撮像装置に実行させることを特徴とする請求項４記載の制御プログラム。
【請求項７】
前記複数の撮像部のうち、前記プレビュー画像データの取得対象となるプレビュー撮像部の切り換えを、前記本画像データ送信処理を契機として行う撮像部切換処理を前記複眼撮像装置に実行させることを特徴とする請求項４記載の制御プログラム。
【手続補正２】
【補正対象書類名】明細書
【補正対象項目名】発明の名称
【補正方法】変更
【補正の内容】
【発明の名称】複眼撮像装置及び複眼撮像装置の制御プログラム
【手続補正３】
【補正対象書類名】明細書
【補正対象項目名】０００１
【補正方法】変更
【補正の内容】
【０００１】
本発明は、撮像素子から画像データを取得して外部制御装置に送信する複眼撮像装置、及び複眼撮像装置の制御プログラムに関する。
【手続補正４】
【補正対象書類名】明細書
【補正対象項目名】０００６
【補正方法】変更
【補正の内容】
【０００６】
本発明は、上記課題を鑑みてなされたものであって、撮像素子から長時間画像データを取得して外部制御装置に送信し、且つ撮像素子の劣化を防止して長寿命化を図ることが可能な複眼撮像装置及び複眼撮像装置の制御プログラムを提供することを目的とする。
【手続補正５】
【補正対象書類名】明細書
【補正対象項目名】０００７
【補正方法】変更
【補正の内容】
【０００７】
上記目的を達成するため、本発明の複眼撮像装置は、シャッタ機構を含む光学系、及び撮像素子を有する複数の撮像部と、前記撮像素子から出力される撮像信号を信号処理する信号処理手段と、外部制御装置と通信手段を介して接続され、前記外部制御装置と電気信号の送受信を行う通信処理部と、これら各部の制御を行い、前記外部制御装置からプレビュー画像開始要求の制御信号を受けたときには、前記複数の撮像部からプレビュー画像データの取得対象となる１つのプレビュー撮像部を選択し、この選択されたプレビュー撮像部が出力した撮像信号を前記信号処理手段が信号処理してプレビュー画像データが取得されるようにするとともに、前記通信処理部が前記プレビュー画像データを前記外部制御装置にリアルタイムで送信するようにし、前記外部制御装置から本画像撮像要求の制御信号を受けたときには、前記複数の撮像部が出力した撮像信号を前記信号処理手段が信号処理して本画像データが取得されるようにするとともに、この本画像データが取得された後、前記通信処理部が前記プレビュー画像データの送信を停止して前記本画像データを前記外部制御装置に送信するようにし、前記本画像データの送信中には、前記シャッタ機構を閉じ状態として前記撮像素子への外光の入射を遮断させる制御手段とを備えたことを特徴とする。
【手続補正６】
【補正対象書類名】明細書
【補正対象項目名】０００８
【補正方法】変更
【補正の内容】
【０００８】
また、請求項２記載の複眼撮像装置では、シャッタ機構を含む光学系、及び撮像素子を有する複数の撮像部と、前記撮像素子から出力される撮像信号を信号処理する信号処理手段と、外部制御装置と通信手段を介して接続され、前記外部制御装置と電気信号の送受信を行う通信処理部と、これら各部の制御を行い、前記外部制御装置からプレビュー画像開始要求の制御信号を受けたときには、前記複数の撮像部からプレビュー画像データの取得対象となる１つのプレビュー撮像部を選択するとともに所定時間毎に別のプレビュー撮像部に切り換え、前記プレビュー撮像部が出力した撮像信号を前記信号処理手段が信号処理してプレビュー画像データが取得されるようにして、前記通信処理部が前記プレビュー画像データを前記外部制御装置にリアルタイムで送信するようにし、前記外部制御装置から本画像撮像要求の制御信号を受けたときには、前記複数の撮像部が出力した撮像信号を前記信号処理手段が信号処理して本画像データが取得されるようにするとともに、この本画像データが取得された後、前記通信処理部が前記プレビュー画像データの送信を停止して前記本画像データを前記外部制御装置に送信するようにし、前記本画像データの送信中には、前記シャッタ機構を閉じ状態として前記撮像素子への外光の入射を遮断させる制御手段とを備えたことを特徴とする。
【手続補正７】
【補正対象書類名】明細書
【補正対象項目名】０００９
【補正方法】変更
【補正の内容】
【０００９】
また、請求項３記載の複眼撮像装置では、シャッタ機構を含む光学系、及び撮像素子を有する複数の撮像部と、前記撮像素子から出力される撮像信号を信号処理する信号処理手段と、外部制御装置と通信手段を介して接続され、前記外部制御装置と電気信号の送受信を行う通信処理部と、これら各部の制御を行い、前記外部制御装置からプレビュー画像開始要求の制御信号を受けたときには、前記複数の撮像部からプレビュー画像データの取得対象となる１つのプレビュー撮像部を選択し、この選択されたプレビュー撮像部が出力した撮像信号を前記信号処理手段が信号処理してプレビュー画像データが取得されるようにするとともに、前記通信処理部が前記プレビュー画像データを前記外部制御装置にリアルタイムで送信するようにし、前記外部制御装置から本画像撮像要求の制御信号を受けたときには、前記複数の撮像部が出力した撮像信号を前記信号処理手段が信号処理して本画像データが取得されるようにするとともに、この本画像データが取得された後、前記通信処理部が前記プレビュー画像データの送信を停止して前記本画像データを前記外部制御装置に送信するようにし、前記本画像データの送信中には、前記シャッタ機構を閉じ状態として前記撮像素子への外光の入射を遮断させ、前記本画像データの送信後、前記選択したプレビュー撮像部とは異なるプレビュー撮像部を前記複数の撮像部から選択する制御手段とを備えたことを特徴とする。
【手続補正８】
【補正対象書類名】明細書
【補正対象項目名】００１０
【補正方法】変更
【補正の内容】
【００１０】
なお、本発明におけるシャッタ機構とは、シャッタ部材で撮像素子への外光の入射を遮断する閉じ位置と、シャッタ部材を退避させて撮像素子への外光の入射を許容する開放位置との間で切り換え可能なメカ式のシャッタ機構のことである。また、撮像素子としてはＣＣＤやＣＭＯＳなどのイメージセンサが用いられる。
【手続補正９】
【補正対象書類名】明細書
【補正対象項目名】００１１
【補正方法】変更
【補正の内容】
【００１１】
また、請求項４記載の複眼撮像装置の制御プログラムでは、シャッタ機構を含む光学系及び撮像素子を備えた複数の撮像部を有し、通信手段を介して外部制御装置に接続された複眼撮像装置の制御プログラムであって、前記外部制御装置から送信されたプレビュー画像開始要求の制御信号を受けたとき、前記撮像部から出力された撮像信号に基づくプレビュー画像を前記外部制御装置に送信するプレビュー画像送信処理と、前記外部制御装置から送信された本画像撮像要求の制御信号を受けたとき、前記撮像信号に基づく本画像データを作成する本画像撮像作成処理と、この本画像撮像作成処理の後、前記プレビュー画像送信処理を停止して前記本画像データを前記外部制御装置に送信する本画像データ送信処理と、この本画像データ送信処理が行われているとき、前記シャッタ機構を閉じ状態として前記撮像素子への外光の入射を遮断する撮像素子遮光処理とを前記複眼撮像装置に実行させることを特徴とする。
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】変更
【補正の内容】
【００１４】
本発明の複眼撮像装置及び複眼撮像装置の制御プログラムによれば、通常時は、撮像信号に基づくプレビュー画像データを外部制御装置にリアルタイムで送信しており、外部制御装置から本画像撮像要求の制御信号を受けたときには、撮像信号に基づく本画像データを形成した後、画像プレビュー画像データの送信を停止して本画像データを外部制御装置に送信するとともに、本画像データの送信中には、シャッタ機構を閉じ状態として撮像素子への外光の入射を遮断しているので、撮像素子から長時間画像データを取得して外部制御装置に送信し、且つ撮像素子の劣化を防いで寿命の長期化を図ることができる。